(57)【要約】【課題】ユーザの利便性向上を図ることができる栽培モニタリング装置、栽培モニタリング方法および栽培モニタリングプログラムを提供する。【解決手段】栽培モニタリング装置１は、情報取得要求パケットを、インターネットを通じて受信する受信部１２１と、受信した情報取得要求パケットに基づいて、植物栽培室の環境を示す環境情報を取得する対象である対象植物栽培室を特定する栽培室特定部１１１と、栽培室特定部１１１により特定された植物栽培室（対象植物栽培室）についての環境情報を取得する取得部１１２と、取得部１１２により取得された環境情報を、情報取得要求パケットに基づいて、端末へインターネットを通じて送信する送信部１２２と、を備える。【選択図】図４
2016029917.tif 000002
【特許請求の範囲】
【請求項１】
複数の端末それぞれにネットワークを介して接続され、前記複数の端末それぞれから送信される要求に基づいて、複数の植物栽培室での植物栽培をモニタリングする栽培モニタリング装置であって、
前記要求を、前記ネットワークを通じて受信する受信部と、
受信した前記要求に基づいて、植物栽培室の環境を示す環境情報を取得する対象である対象植物栽培室を特定する栽培室特定部と、
前記栽培室特定部により特定された前記対象植物栽培室についての前記環境情報を取得する取得部と、
前記取得部により取得された前記環境情報を、前記要求に基づいて、前記複数の端末のうちの、前記環境情報を送信すべき端末へ前記ネットワークを通じて送信する送信部と、を備える、
ことを特徴とする栽培モニタリング装置。
【請求項２】
前記要求に基づいて、前記栽培室特定部により特定された前記対象植物栽培室の環境パラメータを調節する調節部を更に備える、
ことを特徴とする請求項１に記載の栽培モニタリング装置。
【請求項３】
前記送信部は、更に、前記調節部による前記対象植物栽培室の環境の調節が完了したことの通知を、前記要求に基づいて、前記複数の端末のうちの、前記通知を送信すべき端末へ前記ネットワークを通じて送信する、
ことを特徴とする請求項２に記載の栽培モニタリング装置。
【請求項４】
前記要求は、送信元の端末を識別する端末識別情報を含み、
前記栽培室特定部は、複数の植物栽培室それぞれの識別情報と前記端末識別情報との対応関係を示す対応テーブルを有し、
前記対応テーブルに基づいて、前記対象植物栽培室を特定する、
ことを特徴とする請求項１から３のいずれか１項に記載の栽培モニタリング装置。
【請求項５】
複数の端末それぞれにネットワークを介して接続された栽培モニタリング装置を用いて、前記複数の端末それぞれから送信される要求に基づいて、複数の植物栽培室での植物栽培をモニタリングする栽培モニタリング方法であって、
前記要求を、前記ネットワークを通じて受信するステップと、
受信した前記要求に基づいて、植物栽培室の環境を示す環境情報を取得する対象である対象植物栽培室を特定するステップと、
特定された前記対象植物栽培室についての前記環境情報を取得するステップと、
取得された前記環境情報を、前記要求に基づいて、前記複数の端末のうちの、前記環境情報を送信すべき端末へ前記ネットワークを通じて送信するステップと、を含む、
ことを特徴とする栽培モニタリング方法。
【請求項６】
複数の端末それぞれにネットワークを介して接続されたコンピュータに、
前記複数の端末それぞれから送信される要求を、前記ネットワークを通じて受信する機能、
受信した前記要求に基づいて、植物栽培室の環境を示す環境情報を取得する対象である対象植物栽培室を特定する機能、
特定された前記対象植物栽培室についての前記環境情報を取得する機能、
取得された前記環境情報を、前記要求に基づいて、前記複数の端末のうちの、前記環境情報を送信すべき端末へ前記ネットワークを通じて送信する機能、
を実現させることを特徴とする栽培モニタリングプログラム。
【発明の詳細な説明】
【技術分野】
【０００１】
本発明は、栽培モニタリング装置、栽培モニタリング方法および栽培モニタリングプログラムに関する。
【背景技術】
【０００２】
従来、ユーザが植物栽培室から離れた場所に居ながら、当該植物栽培室で栽培している植物の生育状況等に関する情報を取得できる装置が提案されている（例えば、特許文献１参照）。特許文献１に記載された装置は、複数の気象条件を個別に再現した複数の植物栽培室で多数の栽培品種を同時に生育させる。また、当該装置は、多数の栽培品種の生育状況をユーザに知らせる。
【０００３】
具体的には、例えば１つのコンピュータが、複数の植物栽培室それぞれで栽培している植物の生育状況（植物の状態）に関する情報の収集を行う。植物の状態に関する情報を収集するタイミングは、植物栽培室の管理者が所有するコンピュータが管理している。コンピュータは、収集した情報、或いは、収集した情報に統計的な処理を施して得られる情報を、所定のデータベースに保存する。一方、育種家等のユーザは、各自が所有する端末から、インターネットを介して当該コンピュータにアクセスすることにより、データベースに保存された植物の状態に関する情報を取得できる。
【先行技術文献】
【特許文献】
【０００４】
【特許文献１】特開２００３−４７３４０号公報
【発明の概要】
【発明が解決しようとする課題】
【０００５】
特許文献１に記載された装置は、例えば複数の植物栽培室を複数の個人ユーザに割り当てて、各個人ユーザに植物栽培室の環境パラメータおよび植物の状態に関する情報を提供するという態様で使用することができる。
【０００６】
しかしながら、特許文献１に記載された装置では、コンピュータが、植物栽培室の環境パラメータおよび植物の状態に関する情報を収集するタイミングを管理している。従って、例えば、個人ユーザが、植物の生育状況に合わせて任意のタイミングで植物栽培室の環境パラメータおよび植物の状態に関する情報を取得するといったことができず、個人ユーザが不便を感じる虞がある。
【０００７】
本発明は、上記事由に鑑みてなされたものであり、ユーザの利便性向上を図ることができる栽培モニタリング装置、栽培モニタリング方法および栽培モニタリングプログラムを提供することを目的とする。
【課題を解決するための手段】
【０００８】
上記目的を達成するため、本発明に係る栽培モニタリング装置は、
複数の端末それぞれにネットワークを介して接続され、前記複数の端末それぞれから送信される要求に基づいて、複数の植物栽培室での植物栽培をモニタリングする栽培モニタリング装置であって、
前記要求を、前記ネットワークを通じて受信する受信部と、
受信した前記要求に基づいて、植物栽培室の環境を示す環境情報を取得する対象である対象植物栽培室を特定する栽培室特定部と、
前記栽培室特定部により特定された前記対象植物栽培室についての前記環境情報を取得する取得部と、
前記取得部により取得された前記環境情報を、前記要求に基づいて、前記複数の端末のうちの、前記環境情報を送信すべき端末へ前記ネットワークを通じて送信する送信部と、を備える、ことを特徴とする。
【発明の効果】
【０００９】
本発明によれば、ユーザの利便性向上を図ることができる。
【図面の簡単な説明】
【００１０】
【図１】実施形態に係る栽培モニタリング装置および複数の端末の概略構成図である。
【図２】実施形態に係る栽培室管理装置の概略構成図である。
【図３】実施形態に係る栽培モニタリング装置のハードウェア構成を概略的に示すブロック図である。
【図４】実施形態に係る栽培モニタリング装置の機能的構成を表すブロック図である。
【図５】実施形態に係る情報取得パケットおよび調節要求パケットの一例を示す概念図である。
【図６】実施形態に係る端末のハードウェア構成を概略的に示すブロック図である。
【図７】実施形態に係る栽培モニタリング装置および端末の動作を示すシーケンス図である。
【図８】実施形態に係る端末の表示部に植物栽培室の環境パラメータおよび植物の状態を示す画像が表示されている場合の一例を示す図である。
【図９】実施形態に係る栽培モニタリング装置の制御部が実行する栽培室監視処理の流れの一例を示すフローチャートである。
【図１０】実施形態に係る栽培室管理テーブルの一例を示す概念図である。
【図１１】実施形態に係る情報種類テーブルの一例を示す概念図である。
【図１２】実施形態に係る栽培モニタリング装置の制御部が実行する栽培室環境調節処理の流れの一例を示すフローチャートである。
【図１３】実施形態に係る環境種類テーブルの一例を示す概念図である。
【図１４】変形例に係る情報取得パケットおよび調節要求パケットの一例を示す概念図である。
【発明を実施するための形態】
【００１１】
以下、本発明の実施形態について図面を参照して説明する。
図１は、実施形態に係る栽培モニタリング装置１および複数の端末の概略構成図である。
栽培モニタリング装置１は、複数の栽培室管理装置（例えば３１、３２、３３）と通信可能である。また、栽培モニタリング装置１は、インターネット１０００を介して複数の端末（例えば２１、２２、２３）と通信可能である。
【００１２】
栽培モニタリング装置１および複数の栽培室管理装置３１、３２、３３は、複数の植物栽培室１０１、１０２、１０３を有する植物栽培工場１００に設置されている。複数の栽培室管理装置３１、３２、３３は、それぞれ植物栽培室１０１、１０２、１０３に対して１つずつ設けられている。栽培モニタリング装置１は、例えば端末２１から送信された情報取得要求パケットに基づいて、植物栽培室１０１の環境を示す環境情報を収集し、収集した環境情報を端末２１へ送信する。また、栽培モニタリング装置１は、端末２１から送信された調節要求パケットに基づいて、植物栽培室１０１の環境パラメータ（例えば、照度、ＣＯ２濃度等）を調節する。なお、栽培モニタリング装置１の詳細な構成および動作については、後述する。
【００１３】
図２は、実施形態に係る栽培室管理装置３１の概略構成図である。他の栽培室管理装置（例えば３２、３３）の構成は、栽培室管理装置３１と同様である。
植物栽培室１０１は、栽培槽１０１ａと、栽培槽１０１ａに貯留された養液１０１ｂと、植物Ｐに根を張らせる栽培床１０１ｃと、これらを収容するハウジング１０１ｄと、養液１０１ｂを貯留する養液貯留槽２７６と、を備える。
栽培床１０１ｃは、例えばロックウール等から構成され、養液１０１ｂに浮かんでいる。植物Ｐは、栽培床１０１ｃに内在する空隙を介して養液１０１ｂを吸収する。
【００１４】
栽培槽１０１ａと養液貯留槽２７６とは、供給管ＰＬａおよび排出管ＰＬｂを介して接続されている。養液１０１ｂは、養液貯留槽２７６からポンプ２７７により供給管ＰＬａを介して栽培槽１０１ａ内へ供給される。一方、栽培槽１０１ａ内の養液１０１ｂの一部は、排出管ＰＬｂを介して養液貯留槽２７６へ排出される。このようにして、養液１０１ｂは、栽培槽１０１ａと養液貯留槽２７６との間を循環する。
【００１５】
植物栽培室１０１には、照明器具２１２と、ハウジング１０１ｄ内のＣＯ２を外部へ排出する換気扇２３７と、ＣＯ２を施用するＣＯ２施用機２３８と、空気調和機２４７と、加湿器２５７と、ヒータ２６７と、が設けられている。原液・水注入部２７８は、養液貯留槽２７６へ養液の原液と水とを適当な流量比率で注入することにより養液１０１ｂの濃度を調節する。
【００１６】
また、植物栽培室１０１内には、照度センサ２１７、植物Ｐを撮像するカメラ２２２と、ＣＯ２濃度センサ２３２、ハウジング１０１ｄ内の気温を測定するための温度センサ２４２および湿度センサ２５２が設置されている。栽培槽１０１ａには、養液１０１ｂの液温を測定するための温度センサ２６２および養液１０１ｂの濃度を測定するための養液濃度センサ２７２が設置されている。
【００１７】
照明器具２１２は、調光部２１１により調光が行われる。調光部２１１は、栽培モニタリング装置１から入力される調光制御信号に基づいて、照明器具２１２の調光を行う。
【００１８】
換気扇２３７およびＣＯ２施用機２３８は、ＣＯ２施用機・換気扇制御部２３６により制御される。ＣＯ２施用機２３８は、例えばプロパンガス燃焼方式によりＣＯ２を放出する機器であり、プロパンガスの供給量等を制御することによりＣＯ２の放出量を制御できる。ＣＯ２施用機・換気扇制御部２３６は、栽培モニタリング装置１から入力されるＣＯ２濃度制御信号に基づいて、換気扇２３７の動作タイミングを制御したり、ＣＯ２施用機２３８からハウジング１０１ｄ内へ排出されるＣＯ２量を制御したりする。
【００１９】
空気調和機２４７は、ハウジング１０１ｄ内の温度を、設定された温度に維持する。空気調和機２４７は、空調機制御部２４６により制御される。空調器制御部２４６は、栽培モニタリング装置１から入力される空調制御信号に基づいて、空気調和機２４７からハウジング１０１ｄ内へ排出される空気の温度や風量等を制御する。
【００２０】
加湿器２５７は、ハウジング１０１ｄ内に水蒸気を放出する。加湿器２５７は、加湿器制御部２５６により制御される。加湿器制御部２５７は、栽培モニタリング装置１から入力される湿度制御信号に基づいて、加湿器２５７の動作タイミングを制御する。
【００２１】
ヒータ２６７は、栽培槽１０１ａの養液１０１ｂの温度を調節するためのものである。ヒータ２６７は、ヒータ制御部２６６により制御される。ヒータ制御部２６６は、栽培モニタリング装置１から入力される液温制御信号に基づいて、ヒータ２６７の動作タイミング並びにヒータ２６７に流す電流の大きさを制御する。
【００２２】
原液・水注入部２７８は、栽培モニタリング装置１から入力される養液濃度制御信号に基づいて、養液貯留槽２７６へ注入する養液の原液と水の流量比率を制御する。養液の原液は、例えば硝酸カリウム等の肥料塩を水に溶かして生成したものである。
【００２３】
照度センサ２１７は、例えばフォトダイオード等の受光素子から構成されており、周囲の照度に応じた大きさの電圧信号を照度検出部２１６へ出力する。照度検出部２１６は、照度センサ２１７から入力される電圧信号を、照度を示す照度データに変換して栽培モニタリング装置１へ出力する。
【００２４】
カメラ２２２は、例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等のイメージセンサを備える。撮像部２２１は、カメラ２２２により取得された画像信号を所定のフォーマットの画像データに変換して栽培モニタリング装置１へ送信する。
【００２５】
ＣＯ２濃度センサ２３２は、例えば非分散型赤外線吸収法を採用したセンサから構成され、周囲のＣＯ２濃度の大きさに応じた信号をＣＯ２濃度検出部２３１へ出力する。ＣＯ２濃度検出部２３１は、ＣＯ２濃度センサ２３２から入力される信号を、ＣＯ２濃度を示すＣＯ２濃度データに変換して栽培モニタリング装置１へ出力する。
【００２６】
温度センサ２４２は、例えば白金抵抗温度センサから構成される。温度センサ２４２は、気温検出部２４１に接続されており、気温検出部２４１は、温度センサ２４２の抵抗値に基づいて気温を算出し、算出した気温を示す気温データを栽培モニタリング装置１へ出力する。
【００２７】
湿度センサ２５２は、例えば高分子膜湿度センサから構成される。湿度センサ２５２は、湿度検出部２５１に接続されており、湿度検出部２５１は、湿度センサ２５２の静電容量の大きさに基づいて湿度を算出し、算出した湿度を示す湿度データを栽培モニタリング装置１へ出力する。
【００２８】
温度センサ２６２は、例えばサーミスタ等から構成される。温度センサ２６２は、液温検出部２６１に接続されており、液温検出部２６１は、温度センサ２６２の抵抗値に基づいて液温を算出し、算出した液温を示す液温データを栽培モニタリング装置１へ出力する。
【００２９】
養液濃度センサ２７２は、例えば電機化学式濃度測定法における、参照電極および作用電極を含んで構成される。養液濃度センサ２７２は、養液濃度検出部２７１に接続されており、養液濃度検出部２７１は、養液濃度センサ２７２の２つの電極の電位差に基づいて濃度を算出し、算出した濃度を示す濃度データを栽培モニタリング装置１へ出力する。
【００３０】
栽培モニタリング装置１は、インターネット１０００を介して複数の端末２１、２２、２３と通信可能である。栽培モニタリング装置１は、端末２１、２２、２３からインターネット１０００を介して受信した情報取得要求パケットまたは調節要求パケットに基づいて、上記各種制御信号を、栽培室管理装置３１、３２、３３へ出力する。
【００３１】
図３は、本実施形態に係る栽培モニタリング装置１のハードウェア構成を概略的に示すブロック図である。栽培モニタリング装置１は、図３に示すように、制御部１１と、通信部１２と、記憶装置１５と、ＲＡＭ（Ｒａｎｄｏｍ  Ａｃｃｅｓｓ  Ｍｅｍｏｒｙ）１７と、複数の入出力部１９１、１９２、１９３と、を備える。
【００３２】
制御部１１は、例えば、ＣＰＵ（Ｃｅｎｔｒａｌ  Ｐｒｏｃｅｓｓｉｎｇ  Ｕｎｉｔ）から構成され、栽培モニタリング装置１の全体の制御を行う。
【００３３】
通信部１２は、例えば無線通信ユニット等から構成され、必要に応じてインターネット１０００に接続し、端末２１、２２、２３との通信を行う。
【００３４】
記憶装置１５は、例えば不揮発性メモリやハードディスク等から構成され、制御部１１が栽培モニタリング装置１全体を制御するためのプログラムやデータを格納する。記憶装置１５は、例えば制御部１１が後述する栽培室監視処理や栽培室環境調節処理を実行するためのプログラムや、後述する栽培室管理テーブル１５１、情報種類テーブル１５２および環境種類テーブル１５３を格納している。
【００３５】
ＲＡＭ１７は、フラッシュメモリ等の不揮発性メモリから構成される。制御部１１は、記憶装置１５に記憶されているプログラムをＲＡＭ１７に読み込み、ＲＡＭ１７の少なくとも一部を作業領域として使用する。
【００３６】
入出力部１９１は、栽培室管理装置３１の調光部２１１、ＣＯ２施用機・換気扇制御部２３６、空調機制御部２４６、加湿器制御部２５６、ヒータ制御部２６６および原液・水注入部２７８に専用の信号線を介して接続されている。また、入出力部１９１は、更に、栽培室管理装置３１の照度検出部２１６、撮像部２２１、ＣＯ２濃度検出部２３１、気温検出部２４１、湿度検出部２５１、液温検出部２６１および養液濃度検出部２７１にも専用の信号線を介して接続されている。なお、入出力部１９２、１９３も入出力部１９１と同様の構成である。
【００３７】
次に、栽培モニタリング装置１の機能的構成について説明する。
図４は、本実施形態に係る栽培モニタリング装置１の機能的構成を表すブロック図である。図４に示すように、通信部１２は、受信部１２１、送信部１２２として機能する。また、制御部１１は、栽培室特定部１１１、取得部１１２、調節部１１３、として機能する。
【００３８】
受信部１２１は、端末２１、２２、２３から送信される情報取得要求パケットまたは調節要求パケットを、インターネット１０００を通じて受信し、受信した情報取得要求パケットまたは調節要求パケットを栽培室特定部１１１へ出力する。
【００３９】
図５は、本実施形態に係る情報取得パケットおよび調節要求パケットの一例を示す概念図である。
情報取得要求パケットおよび調節要求パケットは、図５に示すように、いずれも、ヘッダ部に、送信元ＩＰアドレスおよび宛先ＩＰアドレスを含み、データ部に、パケットの種類を示すパケット種類識別情報を含む。送信元ＩＰアドレスは、端末２１、２２、２３に付与されたＩＰアドレスに設定され、宛先ＩＰアドレスは、栽培モニタリング装置１に付与されたＩＰアドレスに設定されている。
情報取得要求パケットは、データ部に、更に、送信元の端末２１、２２、２３の端末ＩＤと、取得すべき環境情報の種類を示す情報種類ＩＤと、を含む。
【００４０】
調節要求パケットは、データ部に、更に、送信元の端末２１、２２、２３の端末ＩＤと、調節すべき環境パラメータの種類を示す環境種類ＩＤと、環境パラメータの変化させる方向を指定する変更指定情報と、を含む。変更指定情報は、環境パラメータ毎に設けられている。
【００４１】
栽培室特定部１１１は、受信部１２１から情報取得要求パケットが入力されると、取得した情報取得要求パケットに含まれる端末ＩＤに基づいて、植物栽培室の環境を示す環境情報を取得する対象である植物栽培室（対象植物栽培室）を特定する。また、栽培室特定部１１１は、受信部１２１から調節要求パケットが入力された場合も、取得した調節要求パケットに含まれる端末ＩＤに基づいて、植物栽培室の環境パラメータを調節する対象である植物栽培室（対象植物栽培室）を特定する。栽培室特定部１１１の動作の詳細は後述する。
【００４２】
取得部１１２は、栽培室特定部１１１により特定された対象植物栽培室について、情報取得要求パケットに含まれる情報種類ＩＤに基づいて、環境情報を取得する。取得部１１２の動作の詳細は後述する。また、調節部１１３は、環境情報を取得すると、取得した環境情報を含む情報パケットを生成して送信部１２２へ出力する。情報パケットは、ヘッダ部に、送信元ＩＰアドレスおよび宛先ＩＰアドレスを含み、データ部に、パケット種類識別情報とともに環境情報を含むパケットである。送信元ＩＰアドレスは、栽培モニタリング装置１に付与されたＩＰアドレスに設定され、宛先ＩＰアドレスは、端末２１、２２、２３に付与されたＩＰアドレスに設定されている。
【００４３】
調節部１１３は、栽培室特定部１１１により特定された対象植物栽培室について、調節要求パケットに含まれる環境種類ＩＤに基づいて、環境の調節を行う。調節部１１３の動作の詳細は後述する。また、調節部１１３は、環境の調節が完了すると、調節完了通知パケットを生成して送信部１２２へ出力する。調節完了通知パケットは、ヘッダ部に、送信元ＩＰアドレスおよび宛先ＩＰアドレスを含み、データ部に、パケット種類識別情報を含むパケットである。送信元ＩＰアドレスは、栽培モニタリング装置１に付与されたＩＰアドレスに設定され、宛先ＩＰアドレスは、端末２１、２２、２３に付与されたＩＰアドレスに設定されている。
【００４４】
送信部１２２は、取得部１１２から入力された情報パケットを、情報取得要求パケットに含まれる端末ＩＤに基づいて、当該端末ＩＤが付与された端末へインターネット１０００を通じて送信する。また、送信部１２２は、調節部１１３から入力された調節完了通知パケットを、調節要求パケットに含まれる端末ＩＤ基づいて、当該端末ＩＤが付与された端末へインターネット１０００を通じて送信する。例えば、送信部１２２は、情報取得要求パケットに端末２１に付与された端末ＩＤが含まれている場合、情報パケットを端末２１宛に送信する。また、送信部１２２は、調節要求パケットに端末２１に付与された端末ＩＤが含まれる場合、調節完了通知パケットを端末２１宛に送信する。
【００４５】
端末２１は、例えばスマートフォン等の携帯情報端末から構成される。
図６は、本実施形態に係る端末２１のハードウェア構成を概略的に示すブロック図である。なお、端末２２、２３も同様のハードウェア構成を有する。図６に示すように、端末２１は、端末制御部５１と、端末通信部５３と、端末記憶装置５５と、ＲＡＭ５７と、表示部５９と、入力受付部６１と、を備える。
【００４６】
端末制御部５１は、例えばＣＰＵから構成され、端末２１の全体の制御を行う。
【００４７】
端末通信部５３は、例えば無線通信ユニットから構成され、必要に応じてインターネット１０００に接続し、栽培モニタリング装置１との通信を行う。
【００４８】
端末記憶装置５５は、例えば不揮発性メモリ等から構成され、端末制御部５１が端末２１全体を制御するためのプログラムやデータを格納する。端末記憶装置５５は、端末用栽培支援アプリケーションを格納している。端末用栽培支援アプリケーションは、端末制御部５１が少なくとも後述の４種類の処理を実行するためのプログラムを含む。１つは、端末制御部５１が、入力受付部６１が受け付けた所定の入力操作に基づいて、情報取得要求パケットを生成して栽培モニタリング装置１へ送信する処理である。もう１つは、端末制御部５１が、栽培モニタリング装置１から受信した情報パケットに含まれる環境情報を取得し、取得した環境情報に基づいて、植物栽培室１０１の環境パラメータおよび植物Ｐの状態を表示部５９に表示する処理である。もう１つは、端末制御部５１が、入力受付部６１が受け付けた所定の入力操作に基づいて、調節要求パケットを生成して栽培モニタリング装置１へ送信する処理である。もう１つは、端末制御部５１が、栽培モニタリング装置１から調節完了通知パケットを受信すると、植物栽培室１０１の環境パラメータの調節が完了した旨をユーザに通知する処理である。
【００４９】
ＲＡＭ５７は、フラッシュメモリ等の不揮発性メモリから構成される。端末制御部５１は、端末記憶装置５５に記憶されている各種プログラムをＲＡＭ５７に読み込み、ＲＡＭ５７の少なくとも一部を作業領域として使用する。
【００５０】
表示部５９は、例えば液晶ディスプレイ等から構成される。
入力受付部６１は、例えば表示部５９を覆うように配置されたタッチパネルから構成される。
【００５１】
次に、本実施形態に係る栽培モニタリング装置１の動作について説明する。
図７は、本実施形態に係る栽培モニタリング装置１および端末２１の動作を示すシーケンス図である。ここでは、端末２１のユーザが、栽培モニタリング装置１に対して植物栽培室１０１の環境情報の取得を要求し、取得した情報に基づいて、植物栽培室１０１の環境パラメータを調節する場合について説明する。端末２２、２３の動作も同様である。
なお、図７では、理解を容易にするために、後述の栽培室監視処理（ステップＳ４）と、後述の栽培室環境調節処理（ステップＳ１０）と、を上下に分けて記載しているが、実際にはこれらの処理は並行して行われる。また、端末２１では、端末制御部５１が、前述の端末用栽培支援アプリケーションを実行しているものとする。
【００５２】
まず、端末２１が、ユーザが行う植物栽培室１０１の環境情報を取得するための所定の操作を受け付けたとする（ステップＳ１）。具体的には、入力受付部６１が、ユーザが行う植物栽培室１０１の環境情報を取得するための所定の操作を受け付ける。「環境情報」は、植物栽培室の環境を示す情報であり、例えば植物栽培室の環境パラメータおよび植物Ｐの状態に関する情報（植物Ｐの状態を示す画像）を含む。
【００５３】
次に、端末２１は、環境情報を栽培モニタリング装置１に要求する情報要求パケットを生成し（ステップＳ２）、生成した情報要求パケットを栽培モニタリング装置１へ送信する（ステップＳ３）。具体的には、端末制御部５１が、入力受付部６１が受け付けた所定の入力操作に基づいて、情報取得要求パケットを生成して栽培モニタリング装置１へ送信する処理を実行する。情報要求パケットは、端末２１からインターネット１０００を介して栽培モニタリング装置１へ送信される。
【００５４】
一方、栽培モニタリング装置１は、栽培室監視処理を行っており（ステップＳ４）、端末２１から情報要求パケットを受信すると、取得部１１２が環境情報を取得し、当該環境情報を含む情報パケットを生成する。
なお、栽培室監視処理の詳細は後述する。
【００５５】
そして、栽培モニタリング装置１は、生成した情報パケットを、端末２１に送信する（ステップＳ５）。
【００５６】
一方、端末２１は、栽培モニタリング装置１から情報パケットを受信すると、受信した情報パケットに含まれる環境情報を取得し、取得した環境情報に基づいて、植物栽培室１０１の環境パラメータおよび植物Ｐの状態を示す画像を表示する（ステップＳ６）。具体的には、端末制御部５１が、栽培モニタリング装置１から受信した情報パケットに含まれる環境情報を取得し、取得した環境情報に基づいて、植物栽培室１０１の環境パラメータおよび植物Ｐの状態を示す画像を表示部５９に表示する処理を実行する。
【００５７】
図８は、本実施形態に係る端末２１の表示部５９に植物栽培室１０１の環境パラメータおよび植物Ｐの状態を示す画像が表示されている場合の一例を示す図である。
端末制御部５１は、図８に示すように、栽培している植物の写真５０１と、植物栽培室１０１の環境パラメータを示す情報５０２と、を表示部５９に表示する。これにより、ユーザは、植物栽培室１０１から離れた場所に居ても、端末２１の表示部５９の画面を確認することにより、植物栽培室１０１の環境パラメータおよび栽培している植物Ｐの状態を確認することができる。
【００５８】
また、端末制御部５１は、植物栽培室１０１内の環境パラメータ（照度やＣＯ２量等）を調節するための複数のコマンド釦５０３を表示部５９に表示する。ユーザが、入力受付部６１における、コマンド釦５０３の表示部分に対応する部分をタッチすると、植物栽培室１０１の環境パラメータを調節することができる。例えば、ユーザが、環境パラメータである照度に対応する「↑」部分をタッチすると、植物栽培室１０１の照度を上昇させることができる。
【００５９】
図７に戻って、端末２１が、ユーザが行う植物栽培室１０１の環境パラメータを調節するための所定の操作を受け付けたとする（ステップＳ７）。具体的には、入力受付部６１が、ユーザが行う植物栽培室１０１の環境パラメータを調節するための所定の操作を受け付ける。また、植物栽培室１０１の環境パラメータを調節するための所定の操作は、例えば照度に対応する「↑」部分をタッチする操作が挙げられる（図８参照）。
【００６０】
この場合、端末２１は、植物栽培室１０１の環境パラメータの調節を要求する調節要求パケットを生成し（ステップＳ８）、生成した調節要求パケットを栽培モニタリング装置１へ送信する（ステップＳ９）。端末制御部５１が、入力受付部６１が受け付けた所定の入力操作に基づいて、調節要求パケットを生成して栽培モニタリング装置１へ送信する処理を実行する。
【００６１】
一方、栽培モニタリング装置１は、栽培室環境調節処理を行っており（ステップＳ１０）、端末２１から調節要求パケットを受信すると、植物栽培室１０１の環境パラメータを調節し、当該環境パラメータの調節が完了すると、調節完了通知パケットを生成する。
なお、栽培室環境調節処理の詳細は後述する。
【００６２】
そして、栽培モニタリング装置１は、生成した調節完了通知パケットを、端末２１に送信する（ステップＳ１１）。
【００６３】
一方、端末２１は、栽培モニタリング装置１から調節完了通知パケットを受信すると、植物栽培室１０１の環境パラメータの調節が完了した旨をユーザに通知する（ステップＳ１２）。具体的には、端末制御部５１が、栽培モニタリング装置１から調節完了通知パケットを受信すると、植物栽培室１０１の環境パラメータの調節が完了した旨をユーザに通知する処理を実行する。ユーザへの通知は、例えば表示部５９に植物栽培室１０１の環境パラメータの調節が完了した旨を通知する表示により行われたり、音声により行われたりする。
【００６４】
次に、本実施形態に係る栽培モニタリング装置１の栽培室監視処理について詳細に説明する。
図９は、本実施形態に係る栽培モニタリング装置１の制御部１１が実行する栽培室監視処理の流れの一例を示すフローチャートである。なお、この栽培室監視処理は、上述した記憶装置１５にプログラムとして予め記憶されており、制御部１１がプログラムを読み出して実行することで、実際の処理が行われるものとする。
まず、栽培室特定部１１１は、受信部１２１から情報取得要求パケットが入力されたか否かを判定し（ステップＳ１０１）、情報取得要求パケットが入力されない限り、待機状態を継続する（ステップＳ１０１：Ｎｏ）。
ステップＳ１０１において、情報取得要求パケットが入力されると（ステップＳ１０１：Ｙｅｓ）、栽培室特定部１１１は、情報取得要求パケットから当該情報取得要求パケットの送信元である端末２１を識別する端末ＩＤを抽出する（ステップＳ１０２）。
【００６５】
次に、栽培室特定部１１１は、抽出した端末ＩＤと、栽培室管理テーブル１５１に予め登録されている端末ＩＤと、を照合する（ステップＳ１０３）。
図１０は、本実施形態に係る栽培室管理テーブル１５１の一例を示す概念図である。
栽培室管理テーブル１５１には、図１０に示すように、栽培モニタリング装置１が管理する複数の植物栽培室それぞれに付与された栽培室ＩＤと、各植物栽培室のユーザが所持する端末の端末ＩＤと、が対応づけられた形で登録されている。
栽培室特定部１１１は、抽出した端末ＩＤと、栽培室管理テーブル１５１に登録されている端末ＩＤとを順に照合していく。
図９に戻って、栽培室特定部１１１は、照合の結果、栽培室管理テーブル１５１に、抽出した端末ＩＤと一致する端末ＩＤが登録されているか否かを判定する（ステップＳ１０４）。
【００６６】
ステップＳ１０４において、栽培室管理テーブル１５１に、抽出した端末ＩＤと一致する端末ＩＤが登録されていない場合（ステップＳ１０４：Ｎｏ）、栽培室特定部１１１は、そのままステップＳ１０１の処理を再開する。この場合、栽培モニタリング装置１が管理する複数の植物栽培室の中に、情報要求パケットの送信元である端末２１のユーザが管理する植物栽培室が存在しない。
【００６７】
一方、ステップＳ１０４において、栽培室管理テーブル１５１に、抽出した端末ＩＤと一致する端末ＩＤが登録されているとする（ステップＳ１０４：Ｙｅｓ）。この場合、栽培室特定部１１１は、当該端末ＩＤに対応する栽培室ＩＤが付与された植物栽培室（例えば植物栽培室１０１）を、環境情報を取得する対象である対象植物栽培室として特定する（ステップＳ１０５）。
【００６８】
続いて、取得部１１２は、情報取得要求パケットに基づいて、環境情報の取得先を設定する（ステップＳ１０６）。具体的には、取得部１１２は、情報要求パケットに含まれる、取得すべき情報の種類を示す種類識別情報を抽出し、抽出した種類識別情報と、種類テーブルに予め登録されている種類識別情報と、を照合する。
【００６９】
図１１は、本実施形態に係る情報種類テーブル１５２の一例を示す概念図である。
図１１に示すように、情報種類テーブル１５２には、複数種類の情報それぞれに付与された情報種類ＩＤと、情報の取得先と、が対応づけられた形で登録されている。
取得部１１２は、抽出した情報種類ＩＤと、情報種類テーブル１５２に登録されている情報種類ＩＤとを順に照合していく。そして、取得部１１２は、抽出した情報種類ＩＤと一致する情報種類ＩＤが情報種類テーブル１５２に登録されていれば、当該情報種類ＩＤに対応する各種検出部または撮像部２２１を情報の取得先に設定する。
例えば、栽培室特定部１１１が、植物栽培室１０１を対象植物栽培室に特定し、取得部１１２により抽出された情報種類ＩＤが、００１１乃至００１７であるとする。この場合、取得部１１２は、照度検出部２１６、撮像部２２１、ＣＯ２濃度検出部２３１、気温検出部２４１、湿度検出部２５１、液温検出部２６１および養液濃度検出部２７１を、情報の取得先に設定する。
【００７０】
図９に戻って、取得部１１２は、設定した情報の取得先から、取得すべき環境情報を取得する（ステップＳ１０７）。情報種類テーブル１５２が、図１１に示すように設定されている場合、環境情報には、照度データ、植物の画像、ＣＯ２濃度データ、気温データ、湿度データ、液温データ、養液濃度データのうちの少なくとも１つが含まれる。
【００７１】
次に、取得部１１２は、取得した環境情報を含む情報パケットを生成する（ステップＳ１０８）。ここで、取得部１１２は、情報パケットの宛先を、取得要求パケットの送信元の端末２１に設定する。
【００７２】
その後、取得部１１２は、生成した情報パケットを、送信部１２２へ出力し（ステップＳ１０９）、再びステップＳ１０１の処理を行う。
一方、送信部１２２は、取得部１１２から情報パケットが入力されると、当該情報パケットに含まれる宛先情報に基づいて、情報パケットを、取得要求パケットの送信元の端末２１へ送信する。
【００７３】
次に、本実施形態に係る栽培モニタリング装置１の栽培室環境調節処理について詳細に説明する。
図１２は、本実施形態に係る栽培モニタリング装置１の制御部１１が実行する栽培室環境調節処理の流れの一例を示すフローチャートである。なお、この栽培室環境調節処理は、上述した記憶装置１５にプログラムとして予め記憶されており、制御部１１がプログラムを読み出して実行することで、実際の処理が行われるものとする。
【００７４】
まず、栽培室特定部１１１は、受信部１２１から調節要求パケットが入力されたか否かを判定し（ステップＳ２０１）、情報要求パケットが入力されない限り、待機状態を継続する（ステップＳ２０１：Ｎｏ）。
ステップＳ２０１において、調節要求パケットを受信すると（ステップＳ２０１：Ｙｅｓ）、栽培室特定部１１１は、調節要求パケットから当該調節要求パケットの送信元である端末２１を識別する端末ＩＤを抽出する（ステップＳ２０２）。
【００７５】
次に、栽培室特定部１１１は、前述のステップＳ１０３で説明したのと同様に、抽出した端末ＩＤと、栽培室管理テーブル１５１に予め登録されている端末ＩＤとを照合する（ステップＳ２０３）。
続いて、栽培室特定部１１１は、照合の結果、栽培室管理テーブル１５１に、抽出した端末ＩＤと一致する端末ＩＤが登録されているか否かを判定する（ステップＳ２０４）。
【００７６】
ステップＳ２０４において、栽培室管理テーブル１５１に、抽出した端末ＩＤと一致する端末ＩＤが登録されていない場合（ステップＳ２０４：Ｎｏ）、栽培室特定部１１１は、そのままステップＳ２０１の処理を再開する。
【００７７】
一方、ステップＳ２０４において、栽培室管理テーブル１５１に、抽出した端末ＩＤと一致する端末ＩＤが登録されている場合（ステップＳ２０４：Ｙｅｓ）、栽培室特定部１１１は、この場合、栽培室特定部１１１は、当該端末ＩＤに対応する栽培室ＩＤが付与された植物栽培室（例えば植物栽培室１０１）を、環境の調節を行う対象である対象植物栽培室として特定する（ステップＳ２０５）。
【００７８】
続いて、調節部１１３は、調節要求パケットに基づいて、調節する対象機器を設定する（ステップＳ２０６）。具体的には、調節部１１３は、調節要求パケットに含まれる環境種類ＩＤを抽出する。そして、調節部１１３は、抽出した環境種類ＩＤと、環境種類テーブル１５３に予め登録されている環境種類ＩＤと、を照合する。
【００７９】
図１３は、本実施形態に係る環境種類テーブル１５３の一例を示す概念図である。
図１３に示すように、環境種類テーブル１５３には、６種類の環境パラメータそれぞれに付与された環境種類ＩＤと、環境種類ＩＤが示す環境パラメータを変化させるために調節すべき機器と、が対応づけられた形で登録されている。
調節部１１３は、抽出した環境種類ＩＤと、環境種類テーブル１５３に登録されている環境種類ＩＤとを順に照合していく。
そして、調節部１１３は、抽出した環境種類ＩＤと一致する環境種類ＩＤが環境種類テーブル１５３に登録されていれば、当該環境種類ＩＤに対応する機器を、調節する対象機器に設定する。
例えば、抽出した環境種類ＩＤが、００２１であるとする。この場合、調節部１１３は、調節する対象機器を、照明器具２１２に設定する。具体的には、調節部１１３は、制御信号の出力先を、調光部２１１に設定する。
【００８０】
図１２に戻って、ステップＳ２０６の後、調節部１１３は、調節要求パケットに基づいて、環境パラメータの変更方向を設定する（ステップＳ２０７）。具体的には、調節部１１３は、調節要求パケットに含まれる変更指定情報を抽出する。
変更指定情報は、例えば「環境パラメータの上昇」を示す番号「０」、「環境パラメータの下降」を示す番号「１」から構成されている。
そして、調節部１１３は、変更指定情報に基づいて、環境パラメータの変更方向（上昇或いは下降）を設定する。
【００８１】
その後、調節部１１３は、設定した対象機器について調節を実施する（ステップＳ２０８）。調節部１１３は、設定した対象機器について、設定された環境パラメータの変更方向に従って予め設定された割合だけ上昇または下降させる。環境パラメータを上昇または下降させる割合は、例えば５％に設定される。
例えば、調節部１１３は、対象機器を照明器具２１２に設定し、環境パラメータの変更方向を上昇に設定したとする。この場合、調節部１１３は、調光部２１１に調光制御信号を入力して、照明器具２１２の明るさを５％だけ上昇させる。
【００８２】
次に、調節部１１３は、対象機器に設定された各機器についての調節が完了すると、調節が完了した旨を通知する調節完了通知パケットを生成する（ステップＳ２０９）。ここで、調節部１１３は、調節完了通知パケットの宛先を、調節要求パケットの送信元の端末２１に設定する。
【００８３】
続いて、調節部１１３は、生成した調節完了通知パケットを送信部１２２へ出力し（ステップＳ２１０）、再びステップＳ２０１の処理を行う。一方、送信部１２２は、調節部１１３から調節完了通知パケットが入力されると、当該調節完了通知パケットに含まれる宛先情報に基づいて、調節完了通知パケットを、調節要求パケットの送信元の端末２１へ送信する。
【００８４】
制御部１１は、以上のステップＳ１０１乃至Ｓ１０９の処理を繰り返し実行するとともに、以上のＳ２０１乃至Ｓ２１０の処理を並行して繰り返し実行する。また、制御部１１は、例えばユーザから栽培モニタリング装置１の操作部（図示せず）を介して栽培室監視処理および栽培室環境調節処理を終了させるための入力を受け付けた場合、栽培室監視処理および栽培室環境調節処理を終了する。
【００８５】
以上のように構成される栽培モニタリング装置１は、端末２１、２２、２３から送信される情報取得要求パケットを受信したことを契機として、植物栽培室１０１、１０２、１０３の環境パラメータおよび植物Ｐの状態に関する情報を含む環境情報を取得する。そして、栽培モニタリング装置１は、取得した環境情報を含む情報パケットを生成して、情報取得要求パケットを送信した端末へ送信する。これにより、端末２１、２２、２３のユーザは、所望するタイミングで自由に環境情報を取得することができる。従って、ユーザは、例えば、植物の生育状況に合わせて植物栽培室１０１、１０２、１０３の環境パラメータおよび植物Ｐの状態を確認する頻度を自由に変更することができる。このように、栽培モニタリング装置１は、ユーザの利便性向上を図ることができる。
【００８６】
ところで、小さな植物栽培室を所有する個人ユーザが、ＣＯ２施用機等の比較的大型の機器を導入することは難しい。
これに対して、本実施形態の栽培モニタリング装置１によれば、複数のユーザの植物栽培室１０１、１０２、１０３を１つの植物栽培工場１００に集めて一括管理することができる。これにより、植物栽培工場１００では、ＣＯ２施用機２３６を複数の植物栽培室１０１、１０２、１０３で共用させることによりＣＯ２濃度の調節を可能としている。このように、植物栽培工場１００では、各植物栽培室１０１、１０２、１０３において調節することができる環境パラメータの種類を比較的容易に増やすことができる。これにより、ユーザそれぞれが、環境パラメータの調節が行き届いた植物栽培室１０１、１０２、１０３を個別に所有することが可能となる。
【００８７】
更に、本実施形態の栽培モニタリング装置１によれば、複数のユーザが、各自に割り当てられた植物栽培室１０１、１０２、１０３まで足を運ばなくても、環境情報を取得したり、環境パラメータを調節したりすることができる。従って、ユーザの植物栽培における作業負担が軽減されるという利点もある。
【００８８】
また、本実施形態の栽培モニタリング装置１によれば、植物栽培室１０１、１０２、１０３の使用者が新たな使用者に変更された場合でも、栽培室管理テーブル１５１の端末ＩＤを新たな使用者が所持する端末の端末ＩＤに変更するだけで運用を継続できる。従って、植物栽培工場１００の管理者の管理負担を軽減することができる。
【００８９】
以上、本発明の実施形態について説明したが、本発明は上記の実施形態によって限定されるものではない。
例えば、実施形態において、情報取得要求パケットが、送信元である端末の端末ＩＤ以外の他の端末の端末ＩＤを含み、取得部１１２が、送信元である端末とともに当該送信元以外の他の端末を宛先とする情報パケットを生成してもよい。また、調節要求パケットが、送信元である端末の端末ＩＤ以外の他の端末ＩＤを含み、調節部１１３が、送信元である端末とともに当該送信元以外の他の端末を宛先とする調節完了通知パケットを生成してもよい。
【００９０】
図１４は、本変形例に係る情報取得パケットおよび調節要求パケットの一例を示す概念図である。
情報取得要求パケットおよび調節要求パケットは、図１４に示すように、いずれも、データ部に、３つの端末ＩＤ（端末ＩＤ１、端末ＩＤ２、端末ＩＤ３）を含む。この場合、取得部１１２は、３つの端末２１、２２、２３それぞれを宛先とする３つの情報パケットを生成して送信部１２２へ出力する。また、調節部１１３は、３つの端末２１、２２、２３それぞれを宛先とする３つの調節完了通知パケットを生成して送信部１２２へ出力する。一方、送信部１２２は、取得部１１２から入力された３つの情報パケットまたは調節部１１３から入力された３つの調節完了通知パケットを、端末２１、２２、２３へ送信する。
【００９１】
これにより、複数の端末で植物栽培室の環境情報や環境パラメータの調節履歴情報を共有することができるので、植物栽培室を複数のユーザにより共同で管理し易くなる。
【００９２】
また、実施形態において、栽培モニタリング装置１が、端末２１、２２、２３に対して、定期的に、情報取得要求パケットを送信するように促す要求催促パケットを送信するようにしてもよい。この場合、端末２１、２２、２３は、要求催促パケットを受信する毎に、ユーザに対して、植物栽培室の環境情報を取得するように促す通知を行うようにすればよい。
【００９３】
これにより、ユーザは、定期的に、栽培モニタリング装置に対して、植物栽培室の環境情報の取得を要求するよう促される。従って、例えば植物栽培室の環境情報を定期的に確認するのを忘れてしまい、栽培している植物を枯らしてしまう等の事故の発生を抑制することができる。
【００９４】
また、実施形態において、栽培モニタリング装置１が、端末のＩＰアドレスに基づいて、栽培室を特定するものであってもよい。具体的には、栽培室特定部１１１が、情報取得要求パケットまたは調節要求パケットのヘッダ部に含まれるＩＰアドレスに基づいて、植物栽培室を特定する。この場合、栽培室管理テーブル１５１には、栽培モニタリング装置１が管理する複数の植物栽培室それぞれに付与された栽培室ＩＤと、各植物栽培室のユーザが所持する端末に付与されたＩＰアドレスと、が対応づけられた形で登録されていればよい。
これにより、情報取得要求パケットに端末ＩＤを含ませる必要がなくなり、情報取得要求パケットのサイズを小さくすることができるので、通信負荷の軽減を図ることができる。
【００９５】
また、上記実施形態では、変更指定情報が、「環境パラメータの上昇」および「環境パラメータの下降」の２種類のいずれかを示す構成であるが、識別情報の種類は２種類に限定されない。例えば、環境パラメータの上昇量や下降量を複数種類設定できるようにしてもよい。
例えば、変更指定情報が、「０」乃至「５」の６種類から構成されていてもよい。そして、「０」が「環境パラメータ」の「１０％上昇」、「１」が「５％上昇」、「２」が「１％上昇」、「３」が「１％下降」、「４」が「５％下降」、「５」が「１０％下降」を示すようにしてもよい。
【００９６】
また、実施形態において、制御部１１が、複数の栽培室管理装置３１、３２、３３を構成する各機器において故障が発生しているか否かを定期的に監視する監視部を備えるものであってもよい。監視部は、故障が発生している機器が発見されると、その旨をユーザに通知する故障通知パケットを生成して送信部１２２へ出力するとともに、情報種類テーブル１５２または環境種類テーブル１５３から故障した機器の登録を削除する。
【００９７】
監視部は、例えば、栽培室管理装置３１、３２、３３を構成する各機器に対して、入出力部１９１、１９２、１９３を介して、監視信号を出力する。一方、栽培管理装置３１、３２、３３を構成する各機器は、監視部から監視信号が入力されると、監視部に対して、入出力部１９１、１９２、１９３を介して、応答信号を出力する。監視部は、機器に対する監視信号に対する応答信号が入力されない場合、当該機器で故障が発生していると判定する。
【００９８】
これにより、植物栽培室のユーザは、栽培室管理装置３１、３２、３３を構成する各機器に故障が発生した場合に迅速に対処することが可能となるので、機器の故障を放置することによる植物栽培室の環境の悪化を抑制することができる。また、監視部が、情報種類テーブル１５２または環境種類テーブル１５３から故障した機器の登録を削除することにより、取得部１１２または調節部１１３が故障した機器に対して無駄な制御信号を入力してしまうことを抑制できる。
【００９９】
また、本発明に係る栽培モニタリング装置１は、専用の装置によらず、通常のコンピュータシステムを用いて実現可能である。例えば、ネットワークに接続されているコンピュータに、上記動作を実行するためのプログラムを、コンピュータシステムが読み取り可能な記録媒体（ＣＤ−ＲＯＭ（Ｃｏｍｐａｃｔ  Ｄｉｓｃ−Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）等）に格納して配布し、当該プログラムをコンピュータシステムにインストールすることにより、上述の処理を実行する栽培モニタリング装置１を構成してもよい。
【０１００】
また、コンピュータにプログラムを提供する方法は任意である。例えば、プログラムは、通信回線の掲示板（ＢＢＳ：Ｂｕｌｌｅｔｉｎ  Ｂｏａｒｄ  Ｓｙｓｔｅｍ）にアップロードされ、通信回線を介してコンピュータに配信されてもよい。そして、コンピュータは、このプログラムを起動して、ＯＳ（Ｏｐｅｒａｔｉｎｇ  Ｓｙｓｔｅｍ）の制御のもと、他のアプリケーションと同様に実行する。これにより、コンピュータは、上述の処理を実行する水分浸透状態測定装置１として機能する。
また、本発明により、クラウド型植物工場を実現することができる。
【０１０１】
以上、本発明のいくつかの実施形態を説明したが、本発明は係る特定の実施形態に限定されるものではなく、本発明には特許請求の範囲に記載された発明とその均等の範囲に含まれる。以下に、本願出願の当初の特許請求の範囲に記載された発明を付記する。
【０１０２】
（付記１）
複数の端末それぞれにネットワークを介して接続され、前記複数の端末それぞれから送信される要求に基づいて、複数の植物栽培室での植物栽培をモニタリングする栽培モニタリング装置であって、
前記要求を、前記ネットワークを通じて受信する受信部と、
受信した前記要求に基づいて、植物栽培室の環境を示す環境情報を取得する対象である対象植物栽培室を特定する栽培室特定部と、
前記栽培室特定部により特定された前記対象植物栽培室についての前記環境情報を取得する取得部と、
前記取得部により取得された前記環境情報を、前記要求に基づいて、前記複数の端末のうちの、前記環境情報を送信すべき端末へ前記ネットワークを通じて送信する送信部と、を備える、
ことを特徴とする栽培モニタリング装置。
【０１０３】
（付記２）
前記要求に基づいて、前記栽培室特定部により特定された前記対象植物栽培室の環境パラメータを調節する調節部を更に備える、
ことを特徴とする付記１に記載の栽培モニタリング装置。
【０１０４】
（付記３）
前記送信部は、更に、前記調節部による前記対象植物栽培室の環境の調節が完了したことの通知を、前記要求に基づいて、前記複数の端末のうちの、前記通知を送信すべき端末へ前記ネットワークを通じて送信する、
ことを特徴とする付記２に記載の栽培モニタリング装置。
【０１０５】
（付記４）
前記要求は、送信元の端末を識別する端末識別情報を含み、
前記栽培室特定部は、複数の植物栽培室それぞれの識別情報と前記端末識別情報との対応関係を示す対応テーブルを有し、
前記対応テーブルに基づいて、前記対象植物栽培室を特定する、
ことを特徴とする付記１から３のいずれかに記載の栽培モニタリング装置。
【０１０６】
（付記５）
複数の端末それぞれにネットワークを介して接続された栽培モニタリング装置を用いて、前記複数の端末それぞれから送信される要求に基づいて、複数の植物栽培室での植物栽培をモニタリングする栽培モニタリング方法であって、
前記要求を、前記ネットワークを通じて受信するステップと、
受信した前記要求に基づいて、植物栽培室の環境を示す環境情報を取得する対象である対象植物栽培室を特定するステップと、
特定された前記対象植物栽培室についての前記環境情報を取得するステップと、
取得された前記環境情報を、前記要求に基づいて、前記複数の端末のうちの、前記環境情報を送信すべき端末へ前記ネットワークを通じて送信するステップと、を含む、
ことを特徴とする栽培モニタリング方法。
【０１０７】
（付記６）
複数の端末それぞれにネットワークを介して接続されたコンピュータに、
前記複数の端末それぞれから送信される要求を、前記ネットワークを通じて受信する機能、
受信した前記要求に基づいて、植物栽培室の環境を示す環境情報を取得する対象である対象植物栽培室を特定する機能、
特定された前記対象植物栽培室についての前記環境情報を取得する機能、
取得された前記環境情報を、前記要求に基づいて、前記複数の端末のうちの、前記環境情報を送信すべき端末へ前記ネットワークを通じて送信する機能、
を実現させることを特徴とする栽培モニタリングプログラム。
【符号の説明】
【０１０８】
１…栽培モニタリング装置、２１，２２，２３…端末、１１…制御部、１２…通信部、１５…記憶装置、１７…ＲＡＭ、３１，３２，３３…栽培室管理装置、５１…端末制御部、５３…端末通信部、５５…端末記憶部、５７…ＲＡＭ、５９…表示部、６１…入力受付部、１００…植物栽培工場、１０１ａ…栽培槽、１０１ｂ…養液、１０１ｃ…栽培床、１０１ｄ…ハウジング、１０１，１０２，１０３…植物栽培室、１１１…栽培室特定部、１１２…取得部、１１３…調節部、１２１…受信部、１２２…送信部、１５１…栽培室管理テーブル、１５２…情報種類テーブル、１５３…環境種類テーブル、１９１,１９２,１９３…入出力部、２１１…調光部、２１２…照明器具、２１６…照度検出部、２１７…照度センサ、２２１…撮像部、２２２…カメラ、２３１…ＣＯ２濃度検出部、２３２…ＣＯ２濃度センサ、２３６…ＣＯ２施用機・換気扇制御部、２３７…換気扇、２３８…ＣＯ２施用機、２４１…気温検出部、２４２…温度センサ、２４６…空調機制御部、２４７…空気調和機、２５１…湿度検出部、２５２…湿度センサ、２５７…加湿器、２６１…液温検出部、２６２…温度センサ、２６６…ヒータ制御部、２６７…ヒータ、２７１…養液濃度検出部、２７２…養液濃度センサ、２７６…養液貯留槽、２７７…ポンプ、２７８…原液・水注入部、５０１…写真、５０２…情報、５０３…コマンド釦、１０００…インターネット、ＰＬａ…供給管、ＰＬｂ…排出管
【図１】
2016029917.tif 000003
【図２】
2016029917.tif 000004
【図３】
2016029917.tif 000005
【図４】
2016029917.tif 000006
【図５】
2016029917.tif 000007
【図６】
2016029917.tif 000008
【図７】
2016029917.tif 000009
【図８】
2016029917.tif 000010
【図９】
2016029917.tif 000011
【図１０】
2016029917.tif 000012
【図１１】
2016029917.tif 000013
【図１２】
2016029917.tif 000014
【図１３】
2016029917.tif 000015
【図１４】
2016029917.tif 000016